(57)【要約】【課題】  強固かつ体裁のよい、収容什器の扉の施錠装置を提供する。【解決手段】  扉４の前面から後方に向かって形成した凹入部７の底面７ａに挿通孔９を穿設し、凹入部の前方に前押え部材１１、後方に後押え部材１２を、それぞれ配置し、前記挿入孔に配置した枢軸１７の前後それぞれから側方に操作アーム１８と係合アーム２２を延設し、収容什器に形成した係合部２３に係合アームを係合させて、操作アームと前押え部材とを錠前によって係留してなる施錠装置であって、前押え部材の一端縁１１ａを、扉の凹入部の内側面７ａに当接させるとともに、後押え部材の一端縁１２ａから前方に延設させた前向片１２ｂの内側面を、凹入部の外側面７ｂに当接させて、前後の押え部材１１，１２により、凹入部の底面を挟持する。【選択図】    図５
2010112020.tif 000002
【特許請求の範囲】
【請求項１】
収容什器の開口部前面を開閉自在に閉塞する扉の前面から後方に向かって凹入する凹入部を形成し、この凹入部の底面に前後方向を向く挿通孔を穿設するとともに、
前記凹入部の前方に配置され、前後方向を向く第１通孔が穿設された前押え部材と、凹入部の後方に配置され、前後方向を向く第２通孔が穿設された後押え部材と、第１および第２通孔と凹入部底面の挿入孔を介して前後を向いて回動可能に配置された枢軸と、この枢軸の前後それぞれから側方に延設された操作アームと係合アームとより、扉係留手段が形成されており、
収容什器の内側面に形成した係合部に係合アームを係合させた状態において、操作アームと前記前押え部材とを錠前によって係留してなる施錠装置であって、
前押え部材の一端縁を、扉の凹入部の内側面に近接、または当接させるとともに、後押え部材の一端縁から前方に向かって延設された前向片の内側面を、扉の凹入部の外側面に近接、または当接させた状態で、前後の押え部材により、凹入部の底面を前後から挟持しうるようにしたことを特徴とする収容什器における扉の施錠装置。
【請求項２】
前押え部材の一端縁と後押え部材における前向片の内側面のそれぞれを、扉の上下方向に向かって直線状に形成するとともに、前押え部材の一端縁、および後押え部材における前向片の内側面を、凹入部における扉の遊端縁部側の内外側面にそれぞれ近接、または当接させた請求項１記載の収容什器における扉施錠装置の取付構造。
【請求項３】
凹入部の底面を、透光性部材によって形成するとともに、収容什器の係合部に係合アームを係合させた場合の正面視において、前押え部材と係合アームとが重合しうるように配置した請求項１または２記載の収容什器における扉の施錠装置。
【請求項４】
後押え部材における前向片の前端に、扉の遊端縁部側を向く固定片を延設するとともに、この固定片を、扉の後面に固着した請求項１〜３のいずれかに記載の収容什器における扉の施錠装置。
【請求項５】
凹入部における扉の遊端縁部側の側面前部に、正面視において、前押え部材の一端縁を目隠し可能に側方に向けて突出させた突条部を形成し、この突条部を、把手として機能させた請求項１〜４のいずれかに記載の収容什器における扉の施錠装置。
【発明の詳細な説明】
【技術分野】
【０００１】
本発明は、例えばシューズロッカー（下駄箱）などの収容什器の開口部前面を開閉自在に閉塞する扉の施錠に用いられる施錠装置に関する。
【背景技術】
【０００２】
シューズロッカーなどの収容什器には、その開口部前面に扉が開閉自在に設けられているとともに、内部に収容されたシューズ等の物品を、盗難、紛失から守るために、扉には施錠装置が取付けられている。
【０００３】
施錠装置としては、鍵によって開錠および施錠可能なシリンダー錠を、扉に組み込んでなる構成を有するものが多く見られているが、収容什器の管理者が代わる度に、鍵の回収が困難な場合や、シリンダー錠自体を交換する作業が必要となるなどの不具合が見受けられている。
【０００４】
このような不具合を解消するために、扉に、操作アームの回動操作により、係合アームを収容什器の係合部に係合させるようにした係留手段を設け、係合アームと収容什器の係合部との係合状態において、別途用意した南京錠等の錠前を用いて、係合アームを扉に係留させることにより、扉を閉塞しうるように施錠し、これによって、たとえ収容什器の管理者が代わったとしても、収容什器には、何ら変更を加えることがないように、迅速に、かつ円滑に対応させることができる施錠装置が公知となっている。
【０００５】
また、前記した施錠装置の構造において、特許文献１，２に記載されているように、扉の前面に、後方に向かって凹入する凹入部を形成し、この凹入部に、錠前を格納可能にすることにより、錠前の取付部が、扉の前面から前方に突出しないようにし、使用者や、他の隣接する収容什器の扉前面が傷付く虞を回避するようにしたものが開発されている。
【０００６】
しかし、前記した特許文献１，２に記載された施錠装置では、係留手段を、扉に強固にかつ安定して取付ける必要があるため、構造的に複雑になり、コスト高になる。
また、収容什器内に収容された物品を外部から確認可能にするために、扉に窓部を形成する場合には、扉に施錠装置を設ける空間を確保する必要があるため、窓部を大きくすることができず、しかも、扉の後方に配置された施錠機構が、窓部を通して外部に露呈して、体裁を悪くする。
【特許文献１】特開平８−３０３０７９号公報
【特許文献２】特許第２７８３７６７号公報
【発明の開示】
【発明が解決しようとする課題】
【０００７】
本発明は、前記した現状に鑑み、複雑な構造とすることなく、強固にかつ安定して、体裁よく取付けることができるとともに、好ましくは、窓部を大きく開けても、扉への取付状態における体裁を良好に収めることができるようにした収容什器における扉の施錠装置を提供することを目的とする。
【課題を解決するための手段】
【０００８】
上記課題は、「特許請求の範囲」の欄における各請求項に記載するように、次のような構成からなる発明によって解決される。
【０００９】
（１）収容什器の開口部前面を開閉自在に閉塞する扉の前面から後方に向かって凹入する凹入部を形成し、この凹入部の底面に前後方向を向く挿通孔を穿設するとともに、前記凹入部の前方に配置され、前後方向を向く第１通孔が穿設された前押え部材と、凹入部の後方に配置され、前後方向を向く第２通孔が穿設された後押え部材と、第１および第２通孔と凹入部底面の挿入孔を介して前後を向いて回動可能に配置された枢軸と、この枢軸の前後それぞれから側方に延設された操作アームと係合アームとより、扉係留手段が形成されており、収容什器の内側面に形成した係合部に係合アームを係合させた状態において、操作アームと前記前押え部材とを錠前によって係留してなる施錠装置であって、前押え部材の一端縁を、扉の凹入部の内側面に近接、または当接させるとともに、後押え部材の一端縁から前方に向かって延設された前向片の内側面を、扉の凹入部の外側面に近接、または当接させた状態で、前後の押え部材により、凹入部の底面を前後から挟持しうるようにする。
【００１０】
（２）上記（１）項において、前押え部材の一端縁と後押え部材における前向片の内側面のそれぞれを、扉の上下方向に向かって直線状に形成するとともに、前押え部材の一端縁、および後押え部材における前向片の内側面を、凹入部における扉の遊端縁部側の内外側面にそれぞれ近接、または当接させる。
【００１１】
（３）上記（１）項または（２）項において、凹入部の底面を、透光性部材によって形成するとともに、収容什器の係合部に係合アームを係合させた場合の正面視において、前押え部材と係合アームとが重合しうるように配置する。
【００１２】
（４）上記（１）〜（３）項のいずれかにおいて、後押え部材における前向片の前端に、扉の遊端縁部側を向く固定片を延設するとともに、この固定片を、扉の後面に固着する。
【００１３】
（５）上記（１）〜（４）項のいずれかにおいて、凹入部における扉の遊端縁部側の側面前部に、正面視において、前押え部材の一端縁を目隠し可能に側方に向けて突出させた突条部を形成し、この突条部を、把手として機能させる。
【発明の効果】
【００１４】
本発明によると、次のような効果が奏せられる。
請求項１記載の発明によれば、前押え部材の一端縁を、扉の凹入部の内側面に近接、または当接させるとともに、後押え部材の一端縁から前方に向かって延設された前向片の内側面を、扉の凹入部の外側面に近接、または当接させた状態で、前後の押え部材により凹入部の底面を前後から挟持しうるようにしてあるため、施錠装置を、複雑な構造とすることなく、体裁よく扉に取付けることができるとともに、扉への取付状態において、前後の押え部材が、所定位置からずれる虞がなく、これにより、施錠装置を、強固にかつ安定して、扉に取付けることができる。
【００１５】
請求項２記載の発明によれば、前押え部材の一端縁と後押え部材における前向片の内側面のそれぞれを、扉の上下方向に向かって直線状に形成するとともに、前押え部材の一端縁、および後押え部材における前向片の内側面を、凹入部における扉の遊端縁部側の内外側面にそれぞれ近接、または当接させてあるため、施錠装置が、所定位置からずれることがなく、これにより、施錠装置を、強固にかつ安定して、扉に取付けることができる。
【００１６】
請求項３記載の発明によれば、凹入部の底面を、透光性部材によって形成してあるため、収容什器内に収容された物品を外部から容易に確認することができる。
また、収容什器の係合部に係合アームを係合させた場合の正面視において、前押え部材と係合アームとが重合しうるように配置してあるため、扉を正面から見た場合、係合アームが前押え部材によって目隠しされ、窓部を通して外部に露呈することがなく、扉に窓部を大きく開けても、扉への取付状態における体裁を良好に収めることができる。
【００１７】
請求項４記載の発明によれば、後押え部材における前向片の前端に、扉の遊端縁部側を向く固定片を延設するとともに、この固定片を、扉の後面に固着してあるため、施錠装置が、所定位置からずれることがなく、これにより、施錠装置を、強固にかつ安定して、扉に取付けることができる。
【００１８】
請求項５記載の発明によれば、凹入部における扉の遊端縁部側の側面前部に、正面視において、前押え部材の一端縁を目隠し可能に側方に向けて突出させた突条部を形成してあるため、扉前面の体裁が良好となる。
また、突条部を、把手として機能させてあるため、把手を別途に設ける必要がなく、把手の加工工数、およびコストを削減することができる。
【発明を実施するための最良の形態】
【００１９】
以下、本発明の実施形態を挙げて、本発明を説明する。
図１は、本発明における一実施形態の扉施錠装置を備えるシューズロッカーの全体正面図、図２は、要部拡大正面図、図３は、図２の背面図、図４は、図２のIV−IV線拡大横断面図、図５は、図２のＶ−Ｖ線拡大横断面図、図６は、施錠装置の前方視斜視図、図７は、図６に示す施錠装置の後方視斜視図、図８は、同じく、施錠装置の前方視分解斜視図である。
【００２０】
図１に示すように、本発明の収容什器としてのシューズロッカー（下駄箱）１は、上下左右に区画して列設される複数のシューズ収容箱２の集合体から構成されている。
【００２１】
図２から図５に示すように、各シューズ収容箱２は、その開口部前面３を閉塞する扉４を備え、この扉４は、一側端縁部５Ａに取付けられた上下１対のヒンジピン６，６をもって、開閉自在となっている。
【００２２】
扉４の他方の遊端縁部５Ｂ側には、扉４の前面４ａから、その後面４ｂ側後方に向かって凹入する凹入部７が形成されており、この凹入部７の底面７ａは、アクリル等の透光性部材８よりなり、この窓部からシューズ収容箱２内を見通しうるようになっている。
凹入部７の透光性部材８よりなる底面７ａには、前後方向を向く挿通孔９が穿設され、この挿通孔９を介して、前記凹入部７に、錠前によって係留可能な施錠装置１０が取付けられている。
【００２３】
施錠装置１０は、凹入部７における底面７ａの前方に配置された前押え部材１１と、この前押え部材１１に底面７ａを介して対峙しうるように凹入部７の後方に配置された後押え部材１２とを備える。
前押え部材１１には、後方に向けて延設した円筒状の挿入筒１３をもって前後方向を向く第１通孔１４が穿設されているとともに、後押え部材１２には、前後方向を向く第２通孔１５が穿設されている。
【００２４】
図８に示すように、前押え部材１１は、その挿入筒１３を、扉４における凹入部７の前方から、底面７ａに穿設した挿入孔９に挿入するように配置されている。
後押え部材１２は、凹入部７の後方に配置され、その第２通孔１５に、挿入孔９から突出させた前記挿入筒１３を挿入した後、前押え部材１１と後押え部材１２とが、凹入部７の後方から上下１対のねじ１６，１６によって締結されることにより、凹入部７の底面７ａに取付けられている。
【００２５】
前押え部材１１の挿入筒１３には、凹入部７の前方から、枢軸１７が、通孔１４，１５と挿入孔９を介して挿入されている。
枢軸１７の前端１７ａには、操作アーム１８が設けられ、枢軸１７の後端１７ｂは、前記挿入筒１３内から後方に突出させてある。
【００２６】
枢軸１７の後端１７ｂには、扉係留手段１９が設けられており、この扉係留手段１９は、ワッシャ２０およびボルト２１によって、前記枢軸１７の後端１７ｂに取付けられた係合アーム２２を備えるとともに、この係合アーム２２は、シューズ収容箱２の内側面２ｂ側の側方に向けて延設されている。
【００２７】
係合アーム２２は、操作アーム１８の回動操作に連係して、図６および図７に実線で示す非係留時の上方への跳上げ位置から、図６および図７に想像線で示す係留時の水平位置まで回動しうるようになっている。
係合アーム２２の遊端部２２ａの下部には、シューズ収容箱２における開口部前面３側の内側面２ｂに形成した係合部２３に係脱可能な係止溝２４が設けられている。
【００２８】
扉係留手段１９は、操作アーム１８の回動操作によって、係合アーム２２を跳上げ位置から水平位置まで回動させるとともに、係合アーム２２の係止溝２４を、シューズ収容箱２の係合部２３に係合させることにより、シューズ収容箱２の開口部前面３を閉塞する扉４の係留状態が維持されるようになっている。
図２に示すように、シューズ収容箱２の係合部２３に係合アーム２２を係合させた場合、正面視において、前押え部材１１と係合アーム２２とが、互いに重合しうるように配置されている。
【００２９】
前押え部材１１の第１通孔１４の近傍には、前方に向けて突出させた第１突出片２５が設けられているとともに、この第１突出片２５には、左右方向に貫通する第１鍵孔２６が穿設されている。
第１突出片２５は、係合アーム２２を、収容什器２の係合部２３から跳上げて、扉４の係留状態を開放する際、操作レバー１８の過剰な回動を阻止するストッパー機能を有する。
一方、前押え部材１１の第１通孔１４に挿入される枢軸１７の前端１７ａには、係合アーム２２が施錠時に水平位置にあるとき、前記第１突出片２５に近接して対向する第２突出片２７が前方に向けて突設されているとともに、この第２突出片２７には、前記第１鍵孔２６に対応して連通する第２鍵孔２８が穿設されている。
【００３０】
図２、図４、図５に示すように、本実施形態の施錠装置１０は、シューズ収容箱２の係合部２３に係合アーム２２の係合溝２４を係合させた扉４の係留状態において、互いに近接して対向する第１突出片２５の第１鍵孔２６と第２突出片２７の第２鍵孔２８とに跨って、図示しない南京錠などの錠前をもって施錠されるようになっている。
【００３１】
図８に示すように、扉４の遊端縁部５Ｂ側における前押え部材１１の一端縁１１ａは、前記凹入部７における扉４の遊端縁部５Ｂ側の内側面７ｂに近接、または当接させて配置されている。
一方、後押え部材１２には、扉４の遊端縁部５Ｂ側における一端縁１２ａから前方に向かって前向片１２ｂが延設されており、この前向片１２ｂの内側面は、凹入部７における扉４の遊端縁部５Ｂ側の外側面７ｃに近接、または当接させて配置されている。
このように、前押え部材１１、後押え部材１２を配置することにより、施錠装置１０が、扉４に強固にかつ位置安定性よく取付けられている。
【００３２】
前向片１２ｂの前端には、固定片１２ｃが延設され、この固定片１２ｃは、上下の通孔２９，２９を介して、上下１対のボルト３０，３０によって扉４の後面４ｂに固着されている。
【００３３】
固定片１２ｃの下端には、後方に向けて延出する側面視Ｌ字状のアーム受部３１が形成されており、このアーム受部３１には、扉４の係留状態において、収容什器２の係合部２３に係合する係合アーム２２が、保持されるようになっている。
【００３４】
図４、図５に示すように、凹入部７における扉４の遊端縁部５Ｂ側の側面前端縁部には、上下方向に沿って突条部３２が、凹入部７の内側側方に向けて突出するように形成されており、この突条部３２は、扉４の前方からの正面視において、前押え部材１１の一端縁１１ａが目隠しされるようにするとともに、手掛け部として機能しうるようになっている。
【００３５】
図３、図４に示すように、扉４の遊端縁部５Ｂ側の後面４ｂには、ラッチ３３が、垂直軸３４まわりに回動しうるように、かつ捩りばね３５により、常時外側方に付勢して取付けられている。
このラッチ３３は、扉４の開閉に応じて、シューズ収容箱２の内側面２ｂに形成した係合孔３６と自動的に係脱しうるようになっており、特に、錠前の開錠時における扉４の係留状態において、扉４が振動や衝撃等により、簡単に開扉しないように作用している。
【００３６】
なお、本発明は、上記シューズロッカーの扉以外に、例えばキャビネット等の扉にも適用しうることは勿論である。
【図面の簡単な説明】
【００３７】
【図１】本発明における一実施形態の扉の施錠装置を備えるシューズロッカーの全体正面図である。
【図２】要部拡大正面図である。
【図３】図２の背面図である。
【図４】図２のIV−IV線拡大横断面図である。
【図５】図２のＶ−Ｖ線拡大横断面図である。
【図６】施錠装置の前方視斜視図である。
【図７】図６に示す施錠装置の後方視斜視図である。
【図８】同じく、施錠装置の前方視分解斜視図である。
【符号の説明】
【００３８】
１    シューズロッカー（収容什器）
２    シューズ収容箱
２ａ  内側面
２ｂ  内側面
３    開口部前面
４    扉
４ａ  前面
４ｂ  後面
５Ａ  側端縁部
５Ｂ  遊端縁部
６    ヒンジピン
７    凹入部
７ａ  底面
７ｂ  内側面
７ｃ  外側面
８    透光性部材
９    挿通孔
１０  施錠装置
１１  前押え部材
１１ａ  一端縁
１２  後押え部材
１２ａ  一端縁
１２ｂ  前向片
１２ｃ  固定片
１３  挿入筒
１４  第１通孔
１５  第２通孔
１６  ねじ
１７  枢軸
１７ａ  前端
１７ｂ  後端
１８  操作アーム
１９  扉係留手段
２０  ワッシャ
２１  ボルト
２２  係合アーム
２２ａ  遊端部
２３  係合部
２４  係止溝
２５  第１突出片
２６  第１鍵孔
２７  第２突出片
２８  第２鍵孔
２９  通孔
３０  ボルト
３１  アーム受部
３２  突条部
３３  ラッチ
３４  垂直軸
３５  捩りばね
３６  係合孔
【図１】
2010112020.tif 000003
【図２】
2010112020.tif 000004
【図３】
2010112020.tif 000005
【図４】
2010112020.tif 000006
【図５】
2010112020.tif 000007
【図６】
2010112020.tif 000008
【図７】
2010112020.tif 000009
【図８】
2010112020.tif 000010